(57)【要約】【課題】自動取引装置を被覆部材で被覆して梱包するとき、被覆部材の内部にたまる湿気を防止できる自動取引装置の梱包構造及び梱包方法を提供する。【解決手段】本発明に係る自動取引装置の梱包構造は、少なくとも自動取引装置の底部を被覆する被覆部材を有することを特徴とする。また、本発明に係る自動取引装置の梱包方法は、敷設した被覆部材の上に自動取引装置を載置するステップと、少なくとも自動取引装置の底部を被覆部材で被覆するステップとを有することを特徴とする。【選択図】      図１
2017081569.tif 000002
【特許請求の範囲】
【請求項１】
少なくとも自動取引装置の底部を被覆する被覆部材を有することを特徴とする自動取引装置の梱包構造。
【請求項２】
前記被覆部材とは別に、前記自動取引装置の上方から当該自動取引装置を被覆する第２被覆部材を更に有し、
前記自動取引装置の底部を被覆している前記被覆部材のサイズが、前記第２被覆部材のサイズより小さいことを特徴とする請求項１に記載の自動取引装置の梱包構造。
【請求項３】
前記被覆部材とは別に、前記自動取引装置の上方から当該自動取引装置を被覆する第２被覆部材を更に有し、
前記自動取引装置の底部を被覆している前記被覆部材のサイズが、前記第２被覆部材のサイズより大きいことを特徴とする請求項１に記載の自動取引装置の梱包構造。
【請求項４】
前記被覆部材とは別に、前記自動取引装置の上方から当該自動取引装置を被覆する第２被覆部材と、
前記被覆部材と前記第２被覆部材との間の前記自動取引装置の側胴部を被覆するシート状の第３の被覆部材と
を更に有することを特徴とする請求項１に記載の自動取引装置の梱包構造。
【請求項５】
前記被覆部材の端部と前記第２被覆部材の端部とを固定する固定部材を有することを特徴とする請求項２又は３に記載の自動取引装置の梱包構造。
【請求項６】
前記被覆部材の端部と前記第３被覆部材の下端部とを固定する第１固定部材と、前記第２被覆部材と前記第３被覆部材の上端部とを固定する第２固定部材とを有することを特徴とする請求項４に記載の自動取引装置の梱包構造。
【請求項７】
前記被覆部材が、前記自動取引装置の下方から当該自動取引装置全体を覆うものであることを特徴とする請求項１に記載の自動取引装置の梱包構造。
【請求項８】
前記自動取引装置の上部又は側部で、前記自動取引装置全体を覆っている前記被覆部材の端部を固定する固定部材を有することを特徴とする請求項７に記載の自動取引装置の梱包構造。
【請求項９】
敷設した被覆部材の上に自動取引装置を載置するステップと、
少なくとも前記自動取引装置の底部を前記被覆部材で被覆するステップと
を有することを特徴とする自動取引装置の梱包方法。
【発明の詳細な説明】
【技術分野】
【０００１】
本発明は、自動取引装置の梱包構造及び梱包方法に関する。
【背景技術】
【０００２】
例えば、自動取引装置を出荷する際、自動取引装置をフィルム素材の袋体で梱包している。従来、自動取引装置を梱包する際、図２に示すように、自動取引装置２の上方から袋体１を被せている。
【先行技術文献】
【特許文献】
【０００３】
【特許文献１】特開２０１４−１４１２６０号公報
【発明の概要】
【発明が解決しようとする課題】
【０００４】
しかしながら、従来の梱包方法は、自動取引装置２の上方から袋体１を被せているため、自動取引装置２の下方の袋体の開口部１Ａから空気が入ってきてしまう。例えば、船舶や飛行機等で自動取引装置を目的地まで運搬するときや倉庫に自動取引装置を保管するとき、温度や湿度、気圧等が異なることにより、袋体１の内部に湿気がたまってしまうという問題が生じ得る。
【０００５】
そのため、自動取引装置の運搬や保管の際の湿気を防止することができる自動取引装置の梱包構造及び梱包方法が求められている。
【課題を解決するための手段】
【０００６】
かかる課題を解決するために、第１の本発明に係る自動取引装置の梱包構造は、少なくとも自動取引装置の底部を被覆する被覆部材を有することを特徴とする。
【０００７】
第２の本発明に係る自動取引装置の梱包方法は、敷設した被覆部材の上に自動取引装置を載置するステップと、少なくとも前記自動取引装置の底部を前記被覆部材で被覆するステップとを有することを特徴とする。
【発明の効果】
【０００８】
本発明によれば、自動取引装置全体を被覆部材で覆うことにより、湿気を防止することができる。
【図面の簡単な説明】
【０００９】
【図１】第１の実施形態の自動取引装置の梱包構造及び方法を説明する説明図である。
【図２】従来の自動取引装置の梱包方法を説明する説明図である。
【図３】第２の実施形態の自動取引装置の梱包構造及び方法を説明する説明図である。
【図４】変形実施形態の自動取引装置の梱包構造及び方法を説明する説明図である（その１）。
【図５】変形実施形態の自動取引装置の梱包構造及び方法を説明する説明図である（その２）。
【図６】変形実施形態の自動取引装置の梱包構造及び方法を説明する説明図である（その３）。
【発明を実施するための形態】
【００１０】
（Ａ）第１の実施形態
以下では、本発明に係る自動取引装置の梱包構造及び方法の第１の実施形態を、図面を参照しながら説明する。
【００１１】
（Ａ−１）第１の実施形態の構成及び動作
図１は、第１の実施形態の自動取引装置の梱包構造及び梱包方法を説明する説明図である。
【００１２】
図１において、被梱包物としての自動取引装置２は、パレット５の上に載置されて、運搬される。被梱包物としての自動取引装置２の下方には、第１被覆部材３が設けられており、又、第２被覆部材１が自動取引装置２の上方から被せられる。自動取引装置２の上方から被せられた第２被覆部材１と、自動取引装置２の下方に設けられた第１被覆部材３とを固定部材４で固定する。
【００１３】
第１被覆部材３は、自動取引装置２の下方から自動取引装置２を被覆するものであり、例えば、埃、水、油、空気等の気体を通過させない又は通過させにくい特性を持つ樹脂で形成されたフィルム素材を用いることができる。第１被覆部材３は、例えば、自動取引装置２の梱包の際に、パレット５の上面に第１被覆部材３が敷設され、その第１被覆部材３に自動取引装置２が置かれた後、第１被覆部材３の端部が持ち上げられて、第１被覆部材３の端部が、固定部材４で第２被覆部材１と固定される。また、第１被覆部材３は、シート状部材であっても良いし、袋体であっても良い。この実施形態では、第１被覆部材３が袋体である場合を例示する。
【００１４】
第２被覆部材１は、自動取引装置２の上方から自動取引装置２を被覆するものである。第２被覆部材１は、既存の袋体と同様に、例えば、埃、水や油等の液体、空気等の気体を通過させない又は通過させにくい特性を持つ樹脂で形成されたフィルム素材を用いることができる。また、第２被覆部材１も、シート状部材であっても良いし、袋体であっても良い。これは、自動取引装置２の上方から自動取引装置２の全体を被覆するものであるため、第２被覆部材１は袋体である方が、梱包作業員による手間や負担を軽減させることができるからである。また、第２被覆部材１は、顧客が操作する操作表示部等を有する自動取引装置２の形状に合わせた袋状の形状となっているようにしても良い。
【００１５】
一般的に、紙幣や硬貨等の現金を収納するため自動取引装置２は堅固な構造となっており、自動取引装置２の重量は重い。第２被覆部材１の高さ方向の長さは、自動取引装置２の高さ方向の長さよりも短いものとなっており、第２被覆部材１を自動取引装置２に覆ったときに、自動取引装置２の下方部分は第２被覆部材１に覆われておらず、空気等が被覆内部に入り込んでしまい湿気がたまっている。しかし、この実施形態では、自動取引装置１の梱包後に、湿気がたまることを防止するために、自動取引装置２全体を被覆するため、少なくとも自動取引装置２の底部を被覆する第１被覆部材３を有する梱包構造となっている。
【００１６】
第１被覆部材３及び第２被覆部材１のフィルム素材は、同じ素材のフィルム素材であっても良いし、それぞれ異なるフィルム素材であっても良い。第１被覆部材３は、自動取引装置２の下方に敷設されるものであるため、例えば、運搬の際に、自動取引装置２の重みにより第１被覆部材３に対して強い負荷がかかり、又は自動取引装置２が僅かに移動する可能性があるため、第１被覆部材３が破けるなど破損する可能性がある。そのため、第１被覆部材３は、自動取引装置２の重み等に耐えられる硬いフィルム素材であっても良い。
【００１７】
ここで、袋体である第１被覆部材３のサイズは、袋体である第２被覆部材１のサイズよりも小さいものであることが望ましい。
【００１８】
「第１被覆部材３のサイズが第２被覆部材１のサイズより小さい」とは、第１被覆部材３の高さ方向の長さが第２被覆部材１よりも短いことを意図する。これは、第１被覆部材３が第２被覆部材１より小さいため、第１被覆部材３及び第２被覆部材１で自動取引装置２を被覆した後に、作業員が自動取引装置２の扉部（例えば、自動取引装置２の前面に位置している扉部や、後面に位置している扉部等）の開閉等の作業を行なうことが必要な場合が生じ得る。このような場合でも、第１被覆部材３のサイズが第２被覆部材１のサイズより小さいため第１被覆部材３が邪魔とならず、第２被覆部材１を取り外すだけで、自動取引装置２の作業を効率よく行なうことができる。このような効果を得るために、例えば、第１被覆部材３の形状は、自動取引装置２の幅長及び奥行長に合わせた矩形形状の底面部と、高さ方向に所定長（例えば、数センチ〜数十センチ程度）の長さ形状の端部とを有する立体加工されたものを用いることができる。
【００１９】
固定部材４は、例えば、樹脂等で形成されたテープ部材を用いることができる。固定部材４は、所定幅長の帯状であって、一面に粘着剤が付着されているテープ部材を用いることができる。固定部材４は、自動取引装置２の上方から被せた第２被覆部材１の内側に、第１被覆部材３の端部が位置するようにして、第２被覆部材１と第１被覆部材３とを固定したり、逆に、第１被覆部材３の内側に第２被覆部材１が位置するようにして、第１被覆部材３と第２被覆部材１とを固定したりする。なお、固定部材４は、自動取引装置２と、第１被覆部材３若しくは第２被覆部材１とを仮止め際に用いるようにしても良い。
【００２０】
次に、パレット５に載置されている自動取引装置２を梱包するときの梱包方法を、図１を用いて説明する。
【００２１】
まず、パレット５に載置されている自動取引装置２を、例えばフォークリフト等で自動取引装置２を持ち上げ、パレット５の上面に第１被覆部材３を敷設する。
【００２２】
なお、ここでは、自動取引装置２がパレット５に載置されている場合を例示しているが、自動取引装置２をパレット５に載置する前に、パレット５の上面に第２被覆部材３を敷設するようにしても良い。
【００２３】
パレット５の上面に第１被覆部材３が敷設された状態で、例えばフォークリフト等で持ち上げられている自動取引装置２を第１被覆部材３の上に載置する。
【００２４】
このとき、作業員等が自動取引装置２の扉部の開閉作業が必要なことが生じ得るが、第１被覆部材３の高さ方向の長さが短いため、自動取引装置２の扉部の開閉作業を効率的に行なうことができる。
【００２５】
そして、自動取引装置２の上方から第２被覆部材１を被せ、第２被覆部材１と第１被覆部材３と隙間が無くなるように、第２被覆部材１と第１被覆部材３とを固定部材４で固定する。これにより、第１被覆部材３及び第２被覆部材１で覆われることにより、空気等が入り込む部分が無くなり、被覆されている内部の湿気を防ぐことができる。
【００２６】
（Ａ−２）第１の実施形態の効果
以上のように、第１の実施形態によれば、パレットに載った自動取引装置を梱包する場合に、自動取引装置の上方から被せる第２被覆部材と、自動取引装置の下方から被覆する第１被覆部材とで１自動取引装置を被覆することにより、被覆されている内部の湿気を防ぐことが出来る。
【００２７】
さらに、第１の実施形態によれば、第１被覆部材で自動取引装置を梱包した後に、自動取引装置の作業を行う場合に、第１被覆部材が第２被覆部材より小さいため、第２被覆部材を取り外すだけで、自動取引装置の作業を効率よく行うことが出来る。このとき、自動取引装置の下方から被覆した第１被覆部材の高さ方向の長さは短いため、第１被覆部材が邪魔にならずに、作業ができる効果が得られる。
【００２８】
（Ｂ）第２の実施形態
次に、本発明に係る自動取引装置の梱包構造及び梱包方法の第２の実施形態を、図面を参照しながら説明する。
【００２９】
（Ｂ−１）第２の実施形態の構成及び動作
図３は、第２の実施形態の自動取引装置の梱包構造及び方法を説明する説明図である。
【００３０】
図３において、被梱包物としての自動取引装置２は、パレット５の上に載置されて、運搬される。被梱包物としての自動取引装置２の下方には、被覆部材６が設けられており、被覆部材６が自動取引装置２の下方から上方に向けて、自動取引装置２を覆うように自動取引装置２を覆われている。また、自動取引装置２の全体を覆った被覆部材６の端部は自動取引装置２の上方で固定部材７により結着されて、被覆部材６の端部は固定される。
【００３１】
被覆部材６は、第１の実施形態で説明した第１被覆部材３と同様に、自動取引装置２の下方から自動取引装置２を被覆するものであり、例えば、埃、水、油、空気等の気体を通過させない又は通過させにくい特性を持つ樹脂で形成されたフィルム素材を用いることができる。
【００３２】
ここで、上述したように、重量の大きい自動取引装置２の梱包は、自動取引装置２の上方から被覆部材を被せるのが一般的である。しかし、被覆部材の内部で湿気がたまってしまう可能性があるため、第２の実施形態では、自動取引装置２の下方に被覆部材６を敷設し、被覆部材６で自動取引装置２の全体を覆うように、被覆部材６を下方から上方に向けて自動取引装置２を被覆する。
【００３３】
固定部材７は、第１の実施形態と同様に、テープ部材であっても良いし、結着バンド等のような結着部材であっても良いし、クリップ部材であっても良い。
【００３４】
次に、パレット５に載置されている自動取引装置２を梱包するときの梱包方法を、図３を用いて説明する。
【００３５】
まず、パレット５に載置されている自動取引装置２を、例えばフォークリフト等で自動取引装置２を持ち上げ、パレット５の上面に被覆部材６を敷設する。
【００３６】
なお、ここでは、自動取引装置２がパレット５に載置されている場合を例示しているが、自動取引装置２をパレット５に載置する前に、パレット５の上面に被覆部材６を敷設するようにしても良い。
【００３７】
パレット５の上面に被覆部材６が敷設された状態で、例えばフォークリフト等で持ち上げられている自動取引装置２を被覆部材６の上に載置する。
【００３８】
そして、被覆部材６の端部を自動取引装置２の下方から上方に持ち上げ、自動取引装置２の全体を被覆部材６が覆うように、被覆部材６で自動取引装置２を梱包する。その後、被覆部材６の端部を固定部材７で結着させる。これにより、被覆部材６は１枚の部材であるため、空気等が入り込む隙間が無くなるため、湿気を防ぐことができる。
【００３９】
なお、被覆部材６で自動取引装置２の全体を覆った後に、自動取引装置２の扉部の開閉作業等が必要になった場合には、被覆部材６の端部を下方に移動させることにより、作業を行なうことができる。
【００４０】
（Ｂ−２）第２の実施形態の効果
以上のように、第２の実施形態によれば、パレットに載った自動取引装置を梱包するときに、自動取引装置の下方から被覆部材で自動取引装置全体を覆うようにし、自動取引装置の上側で被覆部材を結着（固定）させることで、自動取引装置の湿気を防ぐことが出来る。
【００４１】
（Ｃ）他の実施形態
（Ｃ−１）上述した第１及び第２の実施形態では、第１被覆部材３、被覆部材６が袋体である場合を例示したが、シート状の部材であっても良い。
【００４２】
（Ｃ−２）上述した第１及び第２の実施形態における自動取引装置は、例えば、ＡＴＭ（Ａｕｔｏｍａｔｉｃ  Ｔｅｌｌｅｒ  Ｍａｃｈｉｎｅ）、通帳記帳装置、両替機、出納機などの現金を取扱う機器に広く適用することができる。
【００４３】
（Ｃ−３）上述した第１及び第２の実施形態では、少なくとも自動取引装置の底部を被覆する第１被覆部材３、被覆部材６を１枚の袋体（又はシート状部材）とする場合を例示した。しかし、自動取引装置の重量や運搬時の移動により、第１被覆部材３、被覆部材６が破れ等の破損が生じ得るため、複数枚に重ねたものを用いるようにしても良い。
【００４４】
また、第１被覆部材３、被覆部材６の上に自動取引装置を置くときに、第１被覆部材３、被覆部材６の上にプレート部材（例えば、樹脂等で形成されたプレート部材）を載せ、そのプレート部材の上に自動取引装置を置くようにしても良い。第１被覆部材３、被覆部材６の上に直接自動取引装置１を載せると、自動取引装置の台座の足部（例えば、ローラ等の部分）に荷重が集中して、第１被覆部材３、被覆部材６が破損する可能性があるが、第１被覆部材３、被覆部材６と自動取引装置との間にプレート部材を介在させることで、自動取引装置の荷重が分散するため、破損を防止できる。
【００４５】
（Ｃ−４）上述した第１の実施形態では、袋体である「第１被覆部材３のサイズが、袋体である第２被覆部材１のサイズよりも小さいものである場合」を例示した。
【００４６】
しかし、これに限定されるものではなく、図４に例示するように、「第１被覆部材３のサイズが第２被覆部材１のサイズより大きく」しても良い。第１被覆部材３の高さ方向の長さが第２被覆部材１よりも短いのであれば、第１の実施形態と同様に、第１被覆部材３及び第２被覆部材１で自動取引装置２を被覆した後に、作業員が固定部材４を外し、第２被覆部材を取り外すことで、作業員が自動取引装置２の扉部の開閉等の作業を行なうことができる。
【００４７】
（Ｃ−５）上述した第２の実施形態では、自動取引装置２の上部で、自動取引装置２全体を覆っている被覆部材６を結着させる固定部材７を設ける場合を例示した。
【００４８】
しかし、これに限定されるものではなく、図５に示すように、自動取引装置の側部で、自動取引装置２全体を覆っている被覆部材６を結着させる固定部材７を設けるようにしてもよい。
【００４９】
（Ｃ−６）上述した第１の実施形態において、第１被覆部材３及び第２被覆部材１を固定する固定部材４を自動取引装置２の側部全体に亘って結着させるようにしても良いし、第１被覆部材３と第２被覆部材１との境界を部分的に固定部材４で固定するようにしても良い。つまり、固定部材４で第１被覆部材３と第２被覆部材１との境界全部を固定しても良いし、部分的に固定するようにしても良い。
【００５０】
（Ｃ−７）上述した第１の実施形態では、２枚の被覆部材で自動取引装置を覆うようにする場合を例示したが、４枚以上の被覆部材で自動取引装置を覆うようにしても良い。例えば、図６に例示するように、第１被覆部材３と第２被覆部材１に加えて、シート状の第３被覆部材８を用いるようにしても良く、自動取引装置の底部を被覆する第１被覆部材３の端部と、シート状の第３被覆部材８の下端部とを固定部材４で固定し、自動取引装置の上方から自動取引装置を被せた第２被覆部材１の端部と、シート状の第３被覆部材８の上端部とを固定する固定部材４で固定する。この場合でも、上述した第１の実施形態と同様の効果を得る。
【符号の説明】
【００５１】
１…第１被覆部材、２…自動取引装置、３…第２被覆部材、４…固定部材、５…パレット、６…被覆部材、７…固定部材。
【図１】
2017081569.tif 000003
【図２】
2017081569.tif 000004
【図３】
2017081569.tif 000005
【図４】
2017081569.tif 000006
【図５】
2017081569.tif 000007
【図６】
2017081569.tif 000008